【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
放射線又は光を電荷に変換する変換素子を有する画素が行列状に複数配置され、照射された放射線又は光に応じた画像データを出力する撮影動作を行うための検出器と、前記撮影動作を含む前記検出器の動作を制御するための制御部と、を有する撮像装置と、
前記撮像装置を制御する制御コンピュータと、
を含む撮像システムであって、
前記撮影動作は、複数の前記画素に含まれる一部の画素に相当する第１の照射野で前記検出器に照射された放射線又は光に応じた画像データを出力するための第１の撮影動作と、前記第１の照射野より広い第２の照射野で前記検出器に照射された放射線又は光に応じた画像データを出力するための第２の撮影動作と、を含み、
前記制御コンピュータは、前記第１の撮影動作における放射線の積分線量に関する情報に基づいて決定された蓄積時間に基づいた制御信号を前記制御部に与え、
前記制御部は、前記制御信号に基づいて前記蓄積時間で前記第２の撮影動作における前記検出器の蓄積動作を行うように、前記検出器の動作を制御することを特徴とする撮像システム。
【請求項２】
前記制御コンピュータは、前記第１の撮影動作における放射線の積分線量に関する情報に基づいて画像段差が予め設定された許容量以下となるように演算処理を行い、前記演算処理によって決定された前記蓄積時間に基づいた制御信号を前記制御部に与え、
前記制御部は、前記演算処理によって決定された前記蓄積時間で前記第２の撮影動作における前記検出器の蓄積動作を行うように、前記検出器の動作を制御することを特徴とする請求項１に記載の撮像システム。
【請求項３】
前記撮像装置に前記放射線を放射するための放射線発生装置を更に含み、
前記放射線発生装置は、前記制御装置からの制御信号を受けて前記第１の照射野と前記第２の照射野とを切り替え可能な機能を有する機構を含み、
前記制御コンピュータは、前記演算処理を行い、前記演算処理によって決定された前記蓄積時間に基づいた制御信号を前記制御部及び前記放射線制御装置に与えることを特徴とする請求項２に記載の撮像システム。
【請求項４】
前記制御コンピュータは、特性格納部、線量検知部、及び蓄積時間決定部を有し、
前記特性格納部は、前記検出部の特性を示す積分線量、蓄積時間、及び暗時出力に関するデータと、前記放射線発生装置の最短放射時間及び最大出力強度に関する情報と、を格納しており、
前記線量検知部は、前記画像データ若しくは前記検出器とは別に設けられたフォトタイマーからのデータを用いて求められた前記第１の撮影動作における積分線量に関する情報を前記蓄積時間決定部に出力し、
前記蓄積時間決定部は、前記積分線量に関する情報と、前記特性格納部に格納された前記データ及び前記情報と、に基づいて前記蓄積時間を決定することを特徴とする請求項３に記載の撮像システム。
【請求項５】
前記第２の撮影動作に必要とされる放射線の線量に関する情報を前記制御コンピュータに出力する制御卓を更に有し、
前記蓄積時間決定部は、前記必要とされる放射線の線量に関する情報に更に基づいて前記蓄積時間を決定することを特徴とする請求項４に記載の撮像システム。
【請求項６】
前記演算処理は、前記放射線発生装置の最短放射時間を下限として、前記蓄積時間を決定することを特徴とする請求項３から５のいずれか１項に記載の撮像システム。
【請求項７】
前記画素は、前記電荷に応じた電気信号を出力するためのスイッチ素子を更に有し、
前記検出器は、前記画素が行列状に複数配列された検出部と、前記検出部を駆動するために前記スイッチ素子の導通状態を制御する駆動回路と、前記スイッチ素子に接続された信号配線を介して前記検出部から出力された前記電気信号を画像データとして出力する読出回路と、を含み、
前記読出回路は、前記信号配線のリセットを行うリセットスイッチを含み、
前記制御部は、前記第１の照射野から前記第２の照射野への変更に伴い、前記第１の撮影動作と前記第２の撮影動作の間の期間に前記変換素子を初期化するための初期化動作を前記検出器が行うように、前記駆動回路及び前記リセットスイッチを制御することを特徴とする請求項１から６のいずれか１項に記載の撮像システム。
【請求項８】
前記変換素子は、ＭＩＳ型変換素子であり、
前記変換素子の一方の電極に前記スイッチ素子を介して基準電圧を与える基準電源と、前記一方の電極に前記他のスイッチ素子を介してリフレッシュ用電圧を与えるリフレッシュ用電源と、前記変換素子の他方の電極にバイアス電圧を与えるバイアス電源と、を含む電源部を更に有し、
前記検出器は、前記スイッチ素子を非導通状態に保ち且つ前記他のスイッチ素子を導通状態とし、前記他方の電極に前記バイアス電圧を与え且つ前記他方の電極に前記他のスイッチ素子を介して前記リフレッシュ用電圧を与えることにより、前記変換素子をリフレッシュするリフレッシュ動作を行い、
前記制御部は、前記期間に、前記リフレッシュ動作と、前記リフレッシュ動作の後の前記初期化動作と、を前記検出器に行わせることを特徴とする請求項７に記載の撮像システム。
【請求項９】
放射線又は光を電荷に変換する変換素子を有する画素が行列状に複数配置され、照射された放射線又は光に応じた画像データを出力する撮影動作を行うための検出器と、
前記撮影動作を含む前記検出器の動作を制御するための制御部と、
を有する撮像装置であって、
前記撮影動作は、複数の前記画素に含まれる一部の画素に相当する第１の照射野で前記検出器に照射された放射線又は光に応じた画像データを出力するための第１の撮影動作と、前記第１の照射野より広い第２の照射野で前記検出器に照射された放射線又は光に応じた画像データを出力するための第２の撮影動作と、を含み、
前記制御部は、前記第１の撮影動作における放射線の積分線量に関する情報に基づいて決定された蓄積時間で前記第２の撮影動作における前記検出器の蓄積動作を行うように、前記検出器の動作を制御することを特徴とする撮像装置。
【請求項１０】
前記制御部は、前記第１の撮影動作における放射線の積分線量に関する情報に基づいて画像段差が予め設定された許容量以下となるように演算処理によって決定された蓄積時間で前記第２の撮影動作における前記検出器の蓄積動作を行うように、前記検出器の動作を制御することを特徴とする請求項９に記載の撮像装置。
【請求項１１】
放射線又は光を電荷に変換する変換素子を有する画素が行列状に複数配置され、照射された放射線又は光に応じた画像データを出力する撮影動作を行うための検出器を有し、前記撮影動作を含む前記検出器の動作を制御する撮像装置の制御方法であって、
複数の前記画素に含まれる一部の画素に相当する第１の照射野で前記検出器に照射された放射線又は光に応じた画像データを出力するための第１の撮影動作の後に、前記第１の撮影動作における放射線の積分線量に関する情報に基づいて決定された蓄積時間で、前記第１の照射野より広い第２の照射野で前記検出器に照射された放射線又は光に応じた画像データを出力するための第２の撮影動作を行うことを特徴とする制御方法。
【請求項１２】
前記第２の撮像動作は、前記第１の撮影動作における放射線の積分線量に関する情報に基づいて画像段差が予め設定された許容量以下となるように演算処理によって決定された蓄積時間で行われることを特徴とする請求項１１に記載の制御方法。
【請求項１３】
放射線又は光を電荷に変換する変換素子を有する画素が行列状に複数配置され、照射された放射線又は光に応じた画像データを出力する撮影動作を行うための検出器を有し、前記撮影動作を含む前記検出器の動作を制御する撮像装置の制御をコンピュータに実行させるプログラムであって、
複数の前記画素に含まれる一部の画素に相当する第１の照射野で前記検出器に照射された放射線又は光に応じた画像データを出力するための第１の撮影動作の後に、前記第１の撮影動作における放射線の積分線量に関する情報に基づいて決定された蓄積時間で、前記第１の照射野より広い前記第２の照射野で前記検出器に照射された放射線又は光に応じた画像データを出力するための第２の撮影動作をコンピュータに実行させることを特徴とするプログラム。
【請求項１４】
前記第２の撮像動作が、前記第１の撮影動作における放射線の積分線量に関する情報に基づいて画像段差が予め設定された許容量以下となるように演算処理によって決定された蓄積時間で行われるように、コンピュータに実行させることを特徴とする請求項１３に記載のプログラム。
【手続補正２】
【補正対象書類名】明細書
【補正対象項目名】０００８
【補正方法】変更
【補正の内容】
【０００８】
本発明に係る撮像装置は、放射線又は光を電荷に変換する変換素子を有する画素が行列状に複数配置され、照射された放射線又は光に応じた画像データを出力する撮影動作を行うための検出器と、前記撮影動作を含む前記検出器の動作を制御するための制御部と、
を有する撮像装置であって、前記撮影動作は、複数の前記画素に含まれる一部の画素に相当する第１の照射野で前記検出器に照射された放射線又は光に応じた画像データを出力するための第１の撮影動作と、前記第１の照射野より広い第２の照射野で前記検出器に照射された放射線又は光に応じた画像データを出力するための第２の撮影動作と、を含み、前記制御部は、前記第１の撮影動作における放射線の積分線量に関する情報に基づいて決定された蓄積時間で前記第２の撮影動作における前記検出器の蓄積動作を行うように、前記検出器の動作を制御することを特徴とする。
【手続補正３】
【補正対象書類名】明細書
【補正対象項目名】０００９
【補正方法】変更
【補正の内容】
【０００９】
本発明に係る放射線撮像システムは、放射線又は光を電荷に変換する変換素子を有する画素が行列状に複数配置され、照射された放射線又は光に応じた画像データを出力する撮影動作を行うための検出器と、前記撮影動作を含む前記検出器の動作を制御するための制御部と、を有する撮像装置と、前記撮像装置を制御する制御コンピュータと、を含む放射線撮像システムであって、前記撮影動作は、複数の前記画素に含まれる一部の画素に相当する第１の照射野で前記検出器に照射された放射線又は光に応じた画像データを出力するための第１の撮影動作と、前記第１の照射野より広い第２の照射野で前記検出器に照射された放射線又は光に応じた画像データを出力するための第２の撮影動作と、を含み、前記制御コンピュータは、前記第１の撮影動作における放射線の積分線量に関する情報に基づいて決定された蓄積時間に基づいた制御信号を前記制御部に与え、前記制御部は、前記制御信号に基づいて前記蓄積時間で前記第２の撮影動作における前記検出器の蓄積動作を行うように、前記検出器の動作を制御することを特徴とする。
【手続補正４】
【補正対象書類名】明細書
【補正対象項目名】００１０
【補正方法】変更
【補正の内容】
【００１０】
本発明に係る撮像装置の制御方法は、放射線又は光を電荷に変換する変換素子を有する画素が行列状に複数配置され、照射された放射線又は光に応じた画像データを出力する撮影動作を行うための検出器を有し、前記撮影動作を含む前記検出器の動作を制御する撮像装置の制御方法であって、複数の前記画素に含まれる一部の画素に相当する第１の照射野で前記検出器に照射された放射線又は光に応じた画像データを出力するための第１の撮影動作の後に、前記第１の撮影動作における放射線の積分線量に関する情報に基づいて決定された蓄積時間で、前記第１の照射野より広い第２の照射野で前記検出器に照射された放射線又は光に応じた画像データを出力するための第２の撮影動作を行うことを特徴とする。
【手続補正５】
【補正対象書類名】明細書
【補正対象項目名】００１１
【補正方法】変更
【補正の内容】
【００１１】
本発明に係るプログラムは、放射線又は光を電荷に変換する変換素子を有する画素が行列状に複数配置され、照射された放射線又は光に応じた画像データを出力する撮影動作を行うための検出器を有し、前記撮影動作を含む前記検出器の動作を制御する撮像装置の制御をコンピュータに実行させるプログラムであって、複数の前記画素に含まれる一部の画素に相当する第１の照射野で前記検出器に照射された放射線又は光に応じた画像データを出力するための第１の撮影動作の後に、前記第１の撮影動作における放射線の積分線量に関する情報に基づいて決定された蓄積時間で、前記第１の照射野より広い前記第２の照射野で前記検出器に照射された放射線又は光に応じた画像データを出力するための第２の撮影動作をコンピュータに実行させることを特徴とする。